(57)【要約】【課題】  購買客の足型を簡便且正確に計測し、適正な靴の提供を可能とする足型の簡易計測具の提供。【解決手段】  扁平な足型載置板の一側端に、立設及び倒伏可能に踵部係止板が連結され、且足型載置板上面の長さ方向中央に中央分割線、及び該中央分割線と対称的左右側縁並びに他側端に亘って１ｍｍ、５ｍｍ或いは１０ｍｍの間隔の方眼目盛りと踵部係止板の近傍位置より左右両足の踵回り案内線とによる計測表示目盛が形成され、且その底面に滑動防止板が設けられた足型計測基台と、該足型計測基台の幅より長く且断面四角形の目盛判読棹が、足型計測基台の側縁若しくは他側端と密着摺動しえる係止摺動基板と一体的に形成された判読Ｔ定規と、且柔軟な素材を用いたメジャーとからなる足型の簡易計測具。【選択図】図１
0003128741.tif 000002
【実用新案登録請求の範囲】
【請求項１】
扁平状で足の裏面を載置できる面積で長四角状の足型載置板の一側端には、その幅が足型載置板の幅と等しく且高さが５０乃至６０ｍｍで、而も足型載置板の一側端に立設され若しくは足型載置板上に倒伏可能で、且その内側面にはその中央に下辺から上辺に中心線が表示され、且該中心線より左右対称的に５ｍｍの間隔を以って踵部幅目盛が表示された踵部係止板が適宜の転結具により連結され、更に足型載置板の上面にはその長さ方向の中央に、且踵部係止板が立設され接合される位置より他側端に亘って中央分割線と、該中央分割線と対称的左右側縁及び他側端に亘ってそれぞれ１ｍｍ、５ｍｍ或いは１０ｍｍの間隔を以って方眼目盛が、及び踵部係止板が立設され接合される位置より略５乃至６ｍｍ離れた位置から該中央分割線を挟んで右足踵部を載置させる踵回り案内線Ｒ−Ｒ線、及び左足踵部を載置させる踵回り案内線Ｌ−Ｌ線からなる計測表示目盛が表示され、而も底面に滑動防止材が設けられた構造の足型計測基台と、該足型計測基台の幅より長く直線状で且断面が四角形の目盛判読棹が、足型計測基台の側縁若しくは他側端と密着摺動しえる摺動部を有する係止摺動基板と一体的に連接形成され、而も目盛判読棹の上面には踵丈を計測しえる踵丈目盛が１ｍｍの間隔で表示されてなる構造の判読Ｔ定規、及び柔軟素材からなる細幅のメジャーとにより構成される足型の簡易計測具。
【請求項２】
足型計測基台における計測表示目盛並びに踵部幅目盛、及び判読Ｔ定規の踵丈目盛が、予め紙若しくは合成樹脂シート材に印刷され目盛シートとなしたうえ、該目盛シートが接着若しくは貼着された構造からなる、請求項１記載の足型の簡易計測具。
【考案の詳細な説明】
【技術分野】
【０００１】  本考案は靴の購買者の足型を簡便且正確に計測し、適正な靴の購入がなしえる足型の簡易計測具に関する。
【背景技術】
【０００２】  我が国では成長経済を経て生活水準の著しい向上とともに、衣食住に亘って高級化や個性化が進んでおり、とりわけ近年における美意識の高揚はすさまじく化粧品はもとよりインナーやアウター、若しくはバッグや靴或いは装身具に至る製品にはその素材や品質、デザイン或いは性能等の理性的機能に加えて製品への信頼感、安心感、好き嫌い、欲求感等の感性的機能が購買決定の重要な要因とされるに至っている。【０００３】  ところでこれら製品において化粧品は素肌への馴染みや芳香性及び色調の豊富さが購買決定の要因とされ、更にインナーやアウター或いはバッグや装身具等は身体に包着され若しくは把持され装着されるもので、専らデザインや柄及び色調が購買決定の要因とされるもので、その使用に際しては身体に包着され若しくは把持され若しくは装身使用されるため、その寸法や形状の自由度は大きなものでも使用が可能となる。
然るに靴は就労者においては出勤時、就労時及び帰宅時に至るまで長時間に亘って履かれ且体重が付加されたまま履き続けられ、而も平坦な舗装道路や未舗装道路を初め石材や木材からなるフロア−面或いは傾斜路の昇り降りや階段、更には車輌等の乗り降り等多様な歩行条件下において且長時間長距離に亘って履き続けられるものである。【０００４】  そして靴はその歩行に際しては、甲部における包着力と踵部における保持力とにより歩行がなされるものであって、甲部における包着力は主に足囲所謂ガウスにより、更に踵部による保持力は足長所謂サイズが大きく関与するものであるから、適正なガウス及びサイズの靴を選択することは、良好な履き心地の靴を選択するうえで極めて重要である。
加えて歩行に際しては靴の底面が屈曲されるものであって、この屈曲の程度はヒールの高さによって異なり婦人靴の如くヒールが高くなる程小さくなるが、この屈曲が大きいと無理な力が靴に加わり靴を傷めたり形崩れを招来するばかりか歩行もしにくくなる。
従ってかかる改善策としては、予め靴を屈曲した形状とするために、つま先を反らせる所謂トウスプリングや、反面ヒールの高い靴ではトウスプリングが僅かで済むものの、足が靴内を前方に滑り易くなることから、踵後部を下げた形状として足を後部に安定させる所謂ヒールピッチ等や踵部の絞り込み等が施されている。【０００５】  然るに現状における靴の販売は、通常紳士靴においてはそのガウス区分で略Ｄ乃至３Ｆ程度及びサイズ区分においても略２３乃至２８ｃｍ程度のものを用意し、更に婦人靴においてはそのガウス区分で略Ｄ若しくはＥ程度、及びサイズ区分において略１９乃至２６ｃｍ程度と且数種に亘るデザイン及び色調の靴を用意し、購買客からのサイズを聴取して近似するサイズの靴を試し履きさせる程度の対応に終始している。
而しながら足は終日を通してそのガウスやサイズが微妙に変化し、更には歩行使用する条件やヒールの高さによっても履き心地も大きく異なるものであり且靴も高級化とともに高価となっているため、適確なガウスやサイズの靴の提供を間違えると、販売業者はもとより生産メーカーに至るまで信頼性や信用が失墜される結果となる危険を孕んでいる。【０００６】  考案者はかかる実情に鑑み鋭意研究を重ねた結果、靴の購買者に購買者自身の足型を簡便に且理解できるように計測し認識させたうえ、適合するガウス及びサイズの靴を試し履きさせることにより、適確なガウス及びサイズの靴を購買選択させることが靴販売には極めて有利であることに想到し本考案に至った。
【考案の開示】
【考案が解決しようとする課題】
【０００７】  本考案は靴購買客の足型を、そのガウスやワイズ及び寸法に亘って簡便で短時に且理解されるよう計測したうえ、適合するガウスやワイズ及びサイズの靴で試し履きさせ、以って履き心地の良い靴を購買させることの可能な足型の簡易計測具を提供することにある。
【課題を解決するための手段】
【０００８】  上述の課題を解決するために本考案が用いた技術的手段は、扁平状で足の裏面を載置できる十分な面積を有する長四角状の足型載置板の一側端に、その幅が足型載置板の幅と等しく且その高さが５０乃至６０ｍｍで而も足型載置板の一側端に垂直に立設させ若しくは該足型載置板上に倒伏可能に踵部係止板が適宜の連結具で連結され、更に足型載置板の上面にはその長さ方向の中央に且踵部係止板が立設され接合される位置から足型載置板の他側端に亘って中央分割線が表示されてなり、而も該中央分割線と対称的な左右側縁及び他側縁に亘ってそれぞれ１ｍｍ、５ｍｍ或いは１０ｍｍの間隔を以って方眼目盛が、更には踵部係止板が立設され接合される位置より略５乃至６ｍｍ離れた位置から中央分割線を挟んで右足踵部を載置させる踵回り案内線Ｒ−Ｒ線、及び左足踵部を載置させる踵回り案内線Ｌ−Ｌ線からなる計測表示目盛が表示された構造により足型計測基台が形成されている。【０００９】  そして該足型計測基台の幅より長く直線状で且断面四角形状の目盛判読棹が、足型計測基台の側縁若しくは他側端と密着摺動しえる摺動部が設けられた係止摺動基板と一体的に連接形成され、而も該判読棹の上面には踵丈をも計測しえる踵丈目盛が少なくとも１ｍｍの間隔で表示された判読Ｔ定規が形成され、かかる足型計測基台と判読Ｔ定規及びガウスを巻回計測するために柔軟素材からなる細幅メジャーとによりなる足型の簡易計測具の構成に存するものである。
【考案の効果】
【００１０】  本考案は上述の如き構成からなるものであって、靴の購買者に対してその購買者の足元に足型計測基台を配置のうえ踵部係止板を立設させ、而して購買者の右足においてはその右足の踵回りの中心と第二指付根中心とを中央分割線に合せ、且右足踵回り案内線に合せて載置させたうえ、判読Ｔ定規の摺動部を足型計測基台の側縁に沿って摺動させることで判読棹が足指先端接触部位の方眼目盛によりサイズが一目で判断され、更に判読Ｔ定規の摺動部を足型計測基台の他側端に沿って摺動させることでワイズが即時に判断され、而も第一指と第五指の付根部所謂ボール部を柔軟なメジャーで巻着計測することで、購買者が自らのサイズやワイズ及びガウスを明確に理解でき、而も販売者はかかる計測データーに基づき適正なサイズやワイズ及びガウスの靴が提供できるため、自由度の少ない靴製品に対して購買者には高い安心感や信頼感とともに足型計測のサービスとも相俟って高い価値観が認識されるため、以後の販売促進効果も大きく期待できることとなる。【００１１】  そして本考案においては購買者の足元に配置し、且右足及び左足の計測も極めて短時間でなしえるから多忙な購買者にも容易に受入れられるとともに、判読Ｔ定規によりヒールカウンターをも計測できるため、足型によっては踵部保持性がより高いデザインの靴も勧めることも可能となる。
加えて本考案は足型計測が極めて簡便になしえるものであるから、靴販売業者の社員全員が扱えることとなる。
【考案を実施するための最良の形態】
【００１２】  扁平状で足の裏面を載置できる十分な面積を有する長四角状の足型載置板の一側端に該足型載置板の幅と等しく且その高さが５０乃至６０ｍｍで、而も足型載置板の一側端に垂直に立設でき且倒伏可能な踵部係止板が設けられ、更に足型載置板の上面には長さ方向中央に、踵部係止板が立設され接合される位置から他側端に亘り中央分割線が表示され、且該中央分割線と対称的左右側縁及び他側端に亘ってそれぞれ１ｍｍ、５ｍｍ、或いは１０ｍｍの間隔の方眼目盛が表示され、加えて踵部係止板の接合位置より略５乃至６ｍｍ離れた位置より中央分割線を挟んで右足の踵回り案内線Ｒ−Ｒ線及び左足の踵回り案内線Ｌ−Ｌ線からなる計測表示目盛が表示された足型計測基台と該足型計測基台の幅より長く直線状で四角形状の判読棹が足型計測基台の側縁若しくは他側端と密着摺動する係止摺動基板と一体的に連接形成され、而もその上面に踵丈を計測しえる踵丈目盛が１ｍｍ間隔で表示された判読Ｔ定規と、柔軟素材からなる細幅メジャーとによる構成。
【実施例１】
【００１３】  以下に本考案実施例を図とともに詳細に説明すれば、図１は本考案の使用態様図、図２は足型計測基台の足型計測の説明図であって、足型計測基台１は足型載置板１０と計測表示目盛１０Ａ並びに踵部係止板１１及び滑動防止材１３とにより形成されてなるものであって、足型載置板１０は足の裏面を載置接触させてそのサイズやワイズを計測するうえから、扁平状で且足の裏面を十分に載置できる面積で、而も使用に際しての持ち運びや計測操作面のうえから長四角形状のものが好適であって、望ましくはその厚さでは略１５ｍｍ程度で且長さとしては略３３０乃至３５０ｍｍ、及び幅としては略１５０乃至１８０ｍｍの寸法が挙げられる。
更に使用素材としては靴の素材が主に天然皮革が用いられることからも木板材が好適であって、且美装上着色が要請される場合には、うるし塗りやカゼイン、亜麻仁油等の天然塗料の使用が望ましい。
無論使用素材としては木板材に限定されるものでは無く、必要に応じてはポリアミドやポリエステル或いはポリカーボネート等の樹脂素材による扁平板材も使用できる。【００１４】  そして該足型載置板１０の一側端には、図３に示すように該足型載置板１０の幅と等しく且その高さが５０乃至６０ｍｍで、而も計測不用時には足型載置板１０上に倒伏し、計測時には足型載置板１０の側端に立設されるよう蝶番の如き連結具１１Ａにより連結された踵部係止板１１が設けられている。
この踵部係止板１１の素材や厚さ等には特段の制約はないが、足型載置板１０とのバランスのうえから同様の素材と且厚さで十分であるが、計測時における安全な計測のうえからは、踵部係止板１１の上辺両側縁は成可く丸味に仕上げておくことが望ましい。【００１５】  かくしてなる足型載置板１０の上面には、図４に示すように、購買者の足型１４のサイズ及びワイズを正しく計測させるために計測表示目盛１０Ａが表示形成されてなるもので、この計測表示目盛１０Ａは足型載置板１０に載置される足型１４のサイズやワイズを簡便且正確に計測し判読するために方眼目盛１０Ｂと、右足及び左足を正しい位置に案内載置させる右足踵部の踵回り案内線Ｒ−Ｒ線及び左足踵部の踵回り案内線Ｌ−Ｌ線とからなる踵回り案内線１０Ｃとにより構成されている。【００１６】  即ち方眼目盛１０Ｂは該足型載置板１０の上面に載置される右足及び左足の正確なサイズは、踵部より指先の最長部位までの計測であり、且正確なワイズは足の第一指と第五指の付根部分（ボール部分）の計測にある。
そこで方眼目盛１０Ｂはその長さ方向の中央に且踵部係止板１１が立設され接合される位置より、該足型載置板１０の他側端１０Ｅに亘って中央分割線１０Ｄを明確に表示させたうえ、該中央分割線１０Ｄと対称的左右側縁１０Ｆ、１０Ｆ及び他側端１０Ｅに亘って、それぞれ１ｍｍ、５ｍｍ或いは１０ｍｍの間隔を以って表示されてなるものである。
かかる場合にサイズやワイズの正確な計測及び判読は、中央分割線の基点１０Ｇより載置される足型２の指先の最長部位及びボール部にあるから、サイズの大小によっても多少の変動はあるが、方眼目盛１０Ｂの表示間隔としては中央分割線の基点１０Ｇより１０乃至１２ｃｍの範囲内では５ｍｍ若しくは１０ｍｍ間隔での表示でも差支えない。【００１７】  更に足型１４の正確な計測に際しては、計測条件を一定の条件のもとに行うことが不可欠となる。
ところで図５は、足型１４の投影例示図であって、サイズの計測に際しては足型１４の踵部を立設されてなる踵部係止板１１に接触させ、且踵回り中央部位と第二指付根部分とを結ぶ中央線１４Ａを、足型載置板１０の計測表示目盛１０Ａの中央分割線１０Ｄに合せ、踵部と指先の最長部位までの計測によりなしえるが、他方において適正な靴の選択にはワイズの寸法、即ち足の第一指と第五指の付根部分（ボール部分）の長さ、及びその甲周長所謂ガウスも極めて重要である。【００１８】  このワイズの計測に際しては図５でも明らかな如く、個別の足型１４によっても異なるが足型１４の中央線１４Ａに対してワイズの中央点１４Ｂが右足においては右方に左足においては左方に略４乃至６度程度でズレを生ずることが一般的であるから、実用上の靴はかかるズレを勘案のうえ右足においては右方に左足に左方に変形させて製靴がなされる。
従ってワイズ中央点１４Ｂを考慮のうえ足型１４を載置させて計測させるうえから、計測表示目盛１０Ａには方眼目盛１０Ｂとともに右足踵回り案内線Ｒ−Ｒ線及び左踵回り案内線Ｌ−Ｌ線とからなる踵回り案内線１０Ｃが、方眼目盛１０Ｂの中央分割線１０Ｄを挟んで表示されている。
かかる場合において、踵回り案内線１０Ｃの基点１０Ｈは、計測に際して立設される踵部係止板１１に足型１４の踵部を接触させて計測されるが、日本人においては踵骨が略５乃至６ｍｍ程度で外方隆起した状態が多く、従って方眼目盛１０Ｂからは５乃至６ｍｍ離れた位置に設定されたうえ略放物線状に表示されている。【００１９】  そして適正な靴の選択には寸法たるサイズと踏付部ボールジョイントの長さであるワイズ及びその周長ガウスの適合が重要な要件となるが、婦人靴の如くヒールの高い靴では踵部の絞り具合所謂踵部の幅の計測も望まれる。
これがため踵部係止板１１の内側面には、足型１４の計測時に即時に踵部の幅の計測と判読が成しえるよう踵部係止板１１の中央に下辺から上辺までに中心線が表示され且該中心線より左右対称的に５ｍｍ間隔を以って踵部幅目盛１１Ｂが表示されている。【００２０】  かくしてなる足型載置板１０と且該足型載置板１０の一側端に踵部係止板１１が立設若しくは倒伏しえるよう連結されて足型計測基台１が形成されるものであるが、購買客の足型計測に際しては木板床や石板床、カーペット等多様な配置条件のもとでなされるため、足型計測時に足型計測基台１が容易に滑動せぬよう該足型計測基台１の底面１２には、ゴム薄板材や合成樹脂発泡シート材等からなる滑動防止材１３が接着若しくは貼着されている。【００２１】  而して足型計測基台１の足型計測板１０上に、右足若しくは左足からなる足型１４が載置されたうえサイズやワイズの計測には、図６に示すように足型計測基台１の幅より長く直線状で且断面が四角形状の判読棹２Ａが、足型計測基台１の側縁１０Ｆ若しくは他側端１０Ｅと密着摺動しえるような摺動部２Ｂが設けられた係止摺動基板２Ｃと一体的に連接形成され、且判読棹２Ａの上面には踵丈をも計測しえる踵丈目盛２Ｄが少なくとも１ｍｍ間隔を以って表示されてなる判読Ｔ定規２が用いられる。【００２２】  即ち図７は足型計測基台１とかかる判読Ｔ定規２による計測手順図であって、先づＡに示すように足型載置板１０に表示された右足踵回り案内線Ｒ−Ｒ線に沿って、且踵回り中央部位と第二指付根部分とを結ぶ中央線１４Ａを計測表示目盛１０Ａの中央分割線１０Ｄに合せて載置させるもので、当然にかかる場合の踵部はＢに示すように踵部係止板１１に接触した状態である。そして判読Ｔ定規２の摺動部２Ｂを足型計測基台１の側縁１０Ｆに密着させて摺動させることにより、Ｃに示すように判読棹２Ａが接触した足型の最長部位の目盛を判読することでサイズが確認される。【００２３】  更に載置された足型１４に対し、Ｄに示すように判読Ｔ定規２の摺動部２Ｂを足型計測基台１の他側端１０Ｅに密着摺動させ、足型１４の内足幅との接触した目盛と同様にＥに示すように摺動部２Ｂを他側端１０Ｅに密着摺動させて足型１４の外足幅との接触した目盛りとを判読することでワイズが確認されることとなる。
当然に左足についても同様に足型計測板１０上の左足踵回り案内線Ｌ−Ｌ線に沿って足型１４を載置させたうえ、同じ操作で即時にサイズ及びワイズが確認できる。【００２４】  そしてガウスの計測においては本考案に付帯する柔軟な素材からなるメジャー３が用いられるもので、該メジャー３はその幅としては略４乃至６ｍｍ、計測長も略５０乃至１００ｃｍ程度の小型のもので十分であって、具体的ガウスの測定はＦに示すように足型１４の第一指と第五指の付根部（ボール部分）をメジャー３により５００ｇ程度の緊張状に、即ちやや締められる程度で包着して計測されれば良い。【００２５】  かかる如くして購買客の右足及び左足の足型１４について簡便且正確にそのサイズ、ワイズ及びガウスの計測がなされ、その足型１４に適合した靴の提供がなしえるものであるが、本考案における判読Ｔ定規２の判読棹２Ａには踵丈目盛２Ｄが表示されている。
これがため足型計測板１０上に足型１４を載置させた状態で、図８の如く判読Ｔ定規２の係止摺動基板２Ｃ面を足型計測板１０に接触させることで足型１４の踵部の高さや踵骨の隆起状態も確認でき、購買客の足型情報も詳細に把握でき購買客への一段のサービスも与えることが可能となる。
【産業上の利用可能性】
【００２６】  デパートを初め靴販売店等に常備しておくだけで特別な計測技術を要することなく、購買者の足型を正確に計測ができる。
【図面の簡単な説明】
【００２７】
【図１】  本考案の使用態様図である。
【図２】  足型計測基台の足型計測の説明図である。
【図３】  踵部係止板の説明図である。
【図４】  計測表示目盛の説明図である。
【図５】  足型の中央線とワイズの中央線の説明図である。
【図６】  判読Ｔ定規の説明図である。
【図７】  本考案の計測手順図である。
【図８】  踵丈の計測説明図である。
【符号の説明】
【００２８】  １    足型計測基台
１０    足型載置板
１０Ａ  計測表示目盛
１０Ｂ  方眼目盛
１０Ｃ  踵回り案内線
１０Ｄ  中央分割線
１０Ｅ  他側端
１０Ｆ  側縁
１０Ｇ  中央分割線の基点
１０Ｈ  踵回り案内線の基点
１１    踵部係止板
１１Ａ  連結具
１１Ｂ  踵部幅目盛
１２    足型計測基台の底面
１３    滑動防止材
１４    足型
１４Ａ  足型の中央線
１４Ｂ  ワイズの中央点
２    判読Ｔ定規
２Ａ  判読棹
２Ｂ  摺動部
２Ｃ  係止摺動基板
２Ｄ  踵丈目盛
３    メジャー
【図１】
0003128741.tif 000003
【図２】
0003128741.tif 000004
【図３】
0003128741.tif 000005
【図４】
0003128741.tif 000006
【図５】
0003128741.tif 000007
【図６】
0003128741.tif 000008
【図７】
0003128741.tif 000009
【図８】
0003128741.tif 000010